(57)【要約】【課題】小型化を図りながらも汚泥貯留を向上させ、嫌気処理の効率化を図った水処理装置とその運転方法の提供を目的とする。【解決手段】本発明は、沈殿分離槽と嫌気ろ床槽を配列してなる水処理装置であり、沈殿分離槽と嫌気ろ床槽を区分する仕切壁の上端が、嫌気ろ床槽のろ床部より上方で、かつ、水面より下方になるように配置され、流入バッフルを備え、嫌気ろ床槽のろ床部を阻流板によって第一のろ床部と第二のろ床部とし、これらの下方に連通した汚泥堆積部を設け、２つのスカム貯留部を設け、第一のスカム貯留部は、沈殿分離槽と第一のろ床部の上方が連通した領域に形成され、第二のスカム貯留部は、第二のろ床部の上方に形成され、汚泥堆積部に貯留されている汚泥を、沈殿分離槽の流入バッフル内部に移送することができるポンプを備える。【選択図】図２
2020182895.tif 000002
【特許請求の範囲】
【請求項１】
上流側から沈殿分離槽と嫌気ろ床槽の順に配列してなる水処理装置であって、
前記沈殿分離槽と前記嫌気ろ床槽を区分する仕切壁の上端が、前記嫌気ろ床槽のろ床部より上方で、かつ、水面より下方になるように配置され、
前記沈殿分離槽の流入口に底壁を有し、下端が前記仕切壁より上方、上端が水面より下方に移流開口部を設けた流入バッフルを備え、
前記嫌気ろ床槽の前記ろ床部が、前記ろ床部の下端から水面よりも上方に設けた阻流板によって分割してあり、前記阻流板の上流側を第一のろ床部、下流側を第二のろ床部とし、
前記第一のろ床部と前記第二のろ床部の下方に連通した汚泥堆積部を設け、
前記沈殿分離槽と前記嫌気ろ床槽には２つのスカム貯留部が設けられ、第一のスカム貯留部は、前記沈殿分離槽と前記第一のろ床部の上方が連通した領域に形成され、第二のスカム貯留部は、前記第二のろ床部の上方に形成され、
前記第二のろ床部の下方の、前記汚泥堆積部に貯留されている汚泥を、前記沈殿分離槽の前記流入バッフル内部に移送することができるポンプを備えることを特徴とする水処理装置。
【請求項２】
請求項１に記載の水処理装置において、前記嫌気ろ床槽にポンプを備え、前記沈殿分離槽と前記嫌気ろ床槽の水面上方に流量調整部を設けたことを特徴とする水処理装置。
【請求項３】
上流側から沈殿分離槽と嫌気ろ床槽の順に配列してなる水処理装置であって、
前記沈殿分離槽と前記嫌気ろ床槽を区分する仕切壁の上端が、前記嫌気ろ床槽のろ床部より上方で、かつ、水面より下方になるように配置され、
前記沈殿分離槽の流入口に底壁を有し、下端が前記仕切壁より上方、上端が水面より下方に移流開口部を設けた流入バッフルを備え、
前記嫌気ろ床槽の前記ろ床部が、前記ろ床部の下端から水面よりも上方に設けた阻流板によって分割してあり、前記阻流板の上流側を第一のろ床部、下流側を第二のろ床部とした水処理装置を運転するに際し、
前記第二のろ床部の下方の、前記汚泥堆積部に貯留されている汚泥を、常時、前記沈殿分離槽の前記流入バッフル内部に移送することを特徴とする水処理装置の運転方法。
【請求項４】
前記水処理装置として、前記第一のろ床部と前記第二のろ床部の下方に連通した汚泥堆積部を設け、前記沈殿分離槽と前記嫌気ろ床槽に２つのスカム貯留部を設け、第一のスカム貯留部を前記沈殿分離槽と前記第一のろ床部の上方が連通した領域に形成し、第二のスカム貯留部を前記第二のろ床部の上方に形成した水処理装置を用いることを特徴とする請求項３に記載の水処理装置の運転方法。
【請求項５】
請求項３または請求項４に記載の水処理装置の運転方法において、前記嫌気ろ床槽にポンプを備え、前記沈殿分離槽と前記嫌気ろ床槽の水面上方に流量調整部を設けた水処理装置を用いることを特徴とする水処理装置の運転方法。
【発明の詳細な説明】
【技術分野】
【０００１】
本発明は、戸建住宅や集合住宅等から排出される排水を処理する水処理装置のうち、嫌気ろ床槽を備えた水処理装置及びその運転方法に関する。
【背景技術】
【０００２】
一般家庭等から排出される生活排水を処理する水処理装置は、これまでに様々な処理方法が提案されている。
従来の水処理装置の槽内は複数の仕切壁により仕切られ、上流側から嫌気ろ床槽、好気処理槽、沈殿槽、消毒槽の順で配列されている。
【０００３】
前記した従来の水処理装置の嫌気ろ床槽の構造として、嫌気ろ床槽のろ床部に充填された濾材に生息した微生物により、流入口より水処理装置内に流入した流入汚水中に含まれる有機物の分解を行い、嫌気的処理で発生した汚泥を嫌気ろ床槽底部に貯留する構造である。
【０００４】
今日、浄化槽の開発において小容量化が進められているものの、嫌気ろ床槽の小容量化には限りがあるため、限られた容積で効率よく嫌気処理をすることが要求されていた。
また、浄化槽の清掃については、浄化槽法により年１回実施と定められているため、１年間性能を悪化させずに汚泥貯留ができることも要求されていた。
【先行技術文献】
【特許文献】
【０００５】
【特許文献１】特開２００１−７９５７６号公報
【特許文献２】特開２００４−１３６１８７号公報
【発明の概要】
【発明が解決しようとする課題】
【０００６】
特許文献１による浄化槽では、流入した被処理水が沈殿分離槽に循環流を形成する構成になっており、沈殿分離槽に堆積した汚泥の界面を流入水の流速により乱し、汚泥の界面の乱れにより堆積汚泥や浮遊物（ＳＳ）を後段の嫌気ろ床槽に流出させてしまう課題があった。
【０００７】
特許文献２による嫌気ろ床槽では、文献中図２に示す嫌気ろ床槽に配置されたバッフル壁１５５により形成されたバッフル領域１６３において、濾材が配置されない状態で区画領域として形成される構造であるため、固形物や浮遊物（ＳＳ）の捕捉・除去を行うことができず、沈殿分離槽から嫌気ろ床槽に移流した被処理水の流速により、ろ床底部に堆積した汚泥の界面を乱し、汚泥の界面の乱れにより堆積汚泥や浮遊物（ＳＳ）を装置外に流出させてしまう課題があった。
【０００８】
本発明は、上記課題を鑑みてなされたものであり、嫌気ろ床槽の小型化を図りながらも、汚泥貯留を向上させ、嫌気処理の効率を安定化させることができる水処理装置及びその運転方法の提供を目的とする。
【課題を解決するための手段】
【０００９】
本発明は、上記課題を解決する手段として、以下の構成を有する。
（１）上流側から沈殿分離槽と嫌気ろ床槽の順に配列してなる水処理装置であって、前記沈殿分離槽と前記嫌気ろ床槽を区分する仕切壁の上端が、前記嫌気ろ床槽のろ床部より上方で、かつ、水面より下方になるように配置され、前記沈殿分離槽の流入口に底壁を有し、下端が前記仕切壁より上方、上端が水面より下方に移流開口部を設けた流入バッフルを備え、前記嫌気ろ床槽の前記ろ床部が、前記ろ床部の下端から水面よりも上方に設けた阻流板によって分割してあり、前記阻流板の上流側を第一のろ床部、下流側を第二のろ床部とし、前記第一のろ床部と前記第二のろ床部の下方に連通した汚泥堆積部を設け、前記沈殿分離槽と前記嫌気ろ床槽には２つのスカム貯留部が設けられ、第一のスカム貯留部は、前記沈殿分離槽と前記第一のろ床部の上方が連通した領域に形成され、第二のスカム貯留部は、前記第二のろ床部の上方に形成され、前記第二のろ床部の下方の、前記汚泥堆積部に貯留されている汚泥を、前記沈殿分離槽の前記流入バッフル内部に移送することができるポンプを備えることを特徴とする。
（２）本発明の項（１）に記載の水処理装置において、前記嫌気ろ床槽にポンプを備え、前記沈殿分離槽と前記嫌気ろ床槽の水面上方に流量調整部を設けることを特徴とする。
【００１０】
（３）本発明に係る水処理装置の運転方法は、上流側から沈殿分離槽と嫌気ろ床槽の順に配列してなる水処理装置であって、前記沈殿分離槽と前記嫌気ろ床槽を区分する仕切壁の上端が、前記嫌気ろ床槽のろ床部より上方で、かつ、水面より下方になるように配置され、前記沈殿分離槽の流入口に底壁を有し、下端が前記仕切壁より上方、上端が水面より下方に移流開口部を設けた流入バッフルを備え、前記嫌気ろ床槽の前記ろ床部が、前記ろ床部の下端から水面よりも上方に設けた阻流板によって分割してあり、前記阻流板の上流側を第一のろ床部、下流側を第二のろ床部とした水処理装置を運転するに際し、前記第二のろ床部の下方の、前記汚泥堆積部に貯留されている汚泥を、常時、前記沈殿分離槽の前記流入バッフル内部に移送することを特徴とする。
（４）本発明の項（３）に記載の水処理装置の運転方法において、前記水処理装置として、前記第一のろ床部と前記第二のろ床部の下方に連通した汚泥堆積部を設け、前記沈殿分離槽と前記嫌気ろ床槽に２つのスカム貯留部を設け、第一のスカム貯留部を前記沈殿分離槽と前記第一のろ床部の上方が連通した領域に形成し、第二のスカム貯留部を前記第二のろ床部の上方に形成した水処理装置を用いることができる。
（５）本発明の項（３）または項（４）に係る水処理装置の運転方法において、前記嫌気ろ床槽にポンプを備え、前記沈殿分離槽と前記嫌気ろ床槽の水面上方に流量調整部を設けた水処理装置を用いることができる。
【発明の効果】
【００１１】
本発明によれば、嫌気ろ床槽には１年間十分に汚泥を貯留でき、優れた汚水浄化能力を備えた水処理装置を提供することができる。
特に、阻流板によって第一のろ床部と第二のろ床部の２つに分割したろ床部を有し、２分割したろ床部どうしの下方を汚泥堆積部で連通し、阻流板の上流側に沈殿分離槽と第一のろ床部の上方が連通した領域を形成することにより広範囲に第一のスカム貯留部を設け、阻流板の下流側にも第二のスカム貯留部を設けているので、スカム貯留量を増加できるとともに、第二のろ床部の存在により汚泥堆積部から発生した浮遊物の系外への流出を防ぎ、２分割したろ床部によって限られた容積で嫌気処理を効率良く実施できる。また、汚泥堆積部の堆積汚泥をポンプで浮遊物とともに沈殿分離槽に設けた流入バッフル内部に戻すことで汚泥堆積部に堆積する汚泥量を少なくすることができ、繰り返しの処理ができる。これらの効果が相俟って１年間十分に汚泥を貯留でき、優れた汚水浄化能力を発揮できる水処理装置を提供できる。
【００１２】
本発明に係る水処理装置の運転方法によれば、沈殿分離槽と嫌気ろ床槽を区分する仕切壁の上端を水面より下方に設置し、阻流板によって第一のろ床部と第二のろ床部の２つに分割したろ床部を有し、２分割したろ床部どうしの下方を汚泥堆積部で連通した水処理装置を運転するに際し、汚泥堆積部の汚泥を常時沈殿分離槽の流入バッフル内部に移送しながら運転する。
これにより、堆積汚泥をポンプで沈澱分離槽に戻すことで汚泥堆積部に堆積する汚泥量を少なくしながら、繰り返しの処理ができる。また、２分割したろ床部を利用し、限られた容積で効率良く嫌気処理ができるとともに、２分割したろ床部下方の汚泥堆積部に、より多くの汚泥を堆積でき、汚泥堆積部の下流側に設けた第二のろ床部の存在により汚泥堆積部から発生した浮遊物の系外への流出を防ぎつつ処理ができる。
これらにより、上述の水処理装置を用いて長い間汚泥を貯留でき、優れた汚水浄化能力を発揮できる水処理ができる。
【図面の簡単な説明】
【００１３】
【図１】図１は本発明に係る第一実施形態に基づく水処理装置の一部を破断とした斜視図である。
【図２】図２は本発明に係る第一実施形態に基づく水処理装置の断面図である。
【図３】図３は本発明に係る第二実施形態に基づく水処理装置の一部を破断とした斜視図である。
【図４】図４は本発明に係る第二実施形態に基づく水処理装置の断面図である。
【図５】図５は本発明に係る第一実施形態に基づく水処理装置の実施例を示す断面図である。
【図６】図６は本発明に係る第一実施形態に基づく水処理装置の試験例であって、原水の流入が終了した後のＳＳ分布の状態を示す断面図である。
【図７】図７は本発明に係る第一実施形態に基づく水処理装置の試験例であって、沈澱分離槽の底部にある汚泥堆積部の頂部まで汚泥を堆積させた状態で、原水の流入が終了した後の汚泥の堆積状態を示す断面図である。
【図８】図８は本発明に係る第一実施形態に基づく水処理装置の試験例であって、好気ろ床槽の底部にある汚泥堆積部の頂部まで汚泥を堆積させた状態で、原水の流入が終了した後の汚泥の堆積状態を示す断面図である。
【発明を実施するための形態】
【００１４】
「第一実施形態」
以下、本発明の第一実施形態に基づく水処理装置について図１及び図２を用いて説明する。
図１は本発明の第一実施形態の水処理装置の一部を破断とした斜視図であり、図２は同水処理装置の断面図である。
本実施形態の水処理装置１は、側壁１Ａ、１Ｂ、１Ｃ、１Ｄの４つの側壁と、これら４つの側壁からなる周壁の底部側開口を閉じるように底壁１Ｅが設けられた槽から構成され、さらにこの槽の内部を仕切壁２０で仕切って構成されている。
この実施形態の水処理装置１は、沈殿分離槽１０と嫌気ろ床槽１１を有している。
【００１５】
この実施形態において、沈殿分離槽１０と嫌気ろ床槽１１は隣接して配置され、上端が嫌気ろ床槽１１のろ床部２２よりも上方で、かつ、水面５０より下方になるように配置された仕切壁２０により区分され、仕切壁２０の上流側に沈殿分離槽１０が、下流側に嫌気ろ床槽１１が構成されている。図１、図２に示すように水処理装置１の左側に沈殿分離槽１０が設置され、右側に嫌気ろ床槽１１が設置されている。
【００１６】
沈殿分離槽１０は、側壁１Ａの上部に流入管の接続される流入口２を備え、流入口２には流入バッフル３が接続され、流入部が構成されている。
流入バッフル３は、図１に示すように鉛直方向に備えられた４つの側壁３Ｂ、３Ｃ、３Ｄ、３Ｅを有し、底部には水平方向に底壁３Ａを有する形状が好ましく、側壁３Ｃ、３Ｅの下方にそれぞれ移流開口部２５が設けられている。
移流開口部２５の鉛直方向の位置は、下端を仕切壁２０の上端より上方に、上端を水面５０より下方に設けることが好ましく、開口数は流入方向に対して略直角方向に少なくとも２箇所あることが好ましい。流入バッフル３の側壁は４つに限定されることはなく、側壁の数は多くても少なくてもよく、形状も直線形又は曲線形どちらでもよく、様々な形状を採用可能であり、流入した被処理水の方向がバッフル内で変更され、流入時の水流のエネルギーが分散される構成であれば良い。
【００１７】
沈殿分離槽１０に汚泥堆積部３０が設けられ、この汚泥堆積部３０は鉛直方向において底壁１Ｅから仕切壁２０の上端より下方の領域に形成され、汚泥を貯留可能に構成されている。
【００１８】
嫌気ろ床槽１１に、濾材を充填したろ床部２２が仕切壁２０の上端より下方に設けられ、ろ床部２２が、ろ床部の下端から水面５０よりも上方に突出するように設けた阻流板２１によって分割されており、阻流板２１の上流側に第一のろ床部２３が、阻流板２１の下流側に第二のろ床部２４が設けられている。
充填される濾材の形状は、網様円錐台状濾材が好ましいが、形状は限定されることはなく、板状、ヘチマ様板状、網様円筒状、骨格様球状など様々な形状の濾材を採用可能である。
【００１９】
ろ床部２２の下方には汚泥堆積部３１が設けられ、この汚泥堆積部３１の水平方向は仕切壁２０と側壁１Ｂの間に形成され、第一のろ床部２３と第二のろ床部２４の下方に連通した領域としての汚泥堆積部３１が設けられている。
図２に示すように、ろ床部２３、２４の上方にも各々汚泥貯留部３２、３３が設けられている。
【００２０】
沈殿分離槽１０の上部側と嫌気ろ床槽１１の上部側には２つのスカム貯留部が設けられている。
第一のスカム貯留部３４は、沈殿分離槽１０の上部側と嫌気ろ床槽１１の上部側にわたり連続して設けられ、鉛直方向は上端が水面５０より下方、下端が流入バッフル３の移流開口部２５の上端より上方、水平方向は側壁１Ａと阻流板２１の間の領域に形成され、沈殿分離槽１０と嫌気ろ床槽１１の上部を連通した領域として第一のスカム貯留部３４が設けられている。
第二のスカム貯留部３５は、嫌気ろ床槽１１の上部に設けられ、水平方向は阻流板２１と側壁１Ｂの間の領域に形成されている。第二のスカム貯留部３５は、鉛直方向の上端が水面５０より下方、下端が流入バッフル３の移流開口部２５の上端より上方の領域に形成されている。
【００２１】
嫌気ろ床槽１１は、汚泥堆積部３１に貯留されている汚泥を、沈殿分離槽１０に移送することができるポンプ６を備えている。
ポンプ６の吸込口６Ａは側壁１Ｂ近くの汚泥貯留部３１に設けられ、吸込口６Ａから堆積汚泥を吸い込み、この堆積汚泥をポンプ６に設けた移送管７により流入バッフル３の内部に移送することができる。
【００２２】
嫌気ろ床槽１１に備えるポンプ６は、特に限定されるものではなく、エアリフトポンプ、電動式の水中ポンプ等を用いることができるが、好ましくは、安価で維持管理が容易なエアリフトポンプを用いることができる。
【００２３】
嫌気ろ床槽１１の側壁１Ｂには、ろ床部２４より上方に流出領域２６が設けられており、装置外に被処理水を排出することができる。このため、流出領域２６の下端高さにより沈殿分離槽１０の水位と嫌気ろ床槽１１の水位が規定される。
【００２４】
流出領域２６には、流出バッフル５を備えることが好ましく、流出バッフル５の上端は水面５０より上方に、流出バッフル５の下端は第二のスカム貯留部３５より下方に設けることが好ましい。
【００２５】
嫌気ろ床槽１１には、上端が水面５０より上方、下端がろ床部２２より下方になるように配置した清掃孔４が備えられている。清掃孔４の水平方向の位置は特に限定されることはないが、維持管理の作業性を考慮し、仕切壁２０又は阻流板２１に、あるいは、側壁１Ｂに隣接する位置が望ましい。
【００２６】
ここで、図1及び図２に基づいて汚水処理の処理工程について説明する。
流入口２から水処理装置１に流入した被処理水４１は、下向きの流入軌跡で流入バッフル３の内部に移流され、流入バッフル３の底壁３Ａにより、流れの向きを下向きから水平方向に変えられ、流入バッフル３の２つの移流開口部２５から汚泥堆積部３０の上方に移流される。
流入バッフル３の底壁３Ａにより移流される被処理水４２の流速を緩和し、被処理水４２の方向を水平向きとすることで、汚泥堆積部３０に堆積した汚泥の界面１０Ａを乱すことを防止し、汚泥の界面１０Ａの乱れにより堆積汚泥が流出することを防ぐことができる。
【００２７】
移流された被処理水４２には、固形物や夾雑物が含まれており、沈殿するものは移流開口部２５の下方の汚泥堆積部３０に底部汚泥として貯留され、浮くものは移流開口部２５の上方の第一のスカム貯留部３４にスカムとして貯留される。また、底部汚泥として汚泥堆積部３０に貯留された汚泥の一部は、微生物により分解される過程で発生したガスを伴って浮上し、第一のスカム貯留部３４でスカムとして貯留される。スカムの一部は、水面上に露出するため、水分が減少して固形物濃度を高めることができるため、汚泥の減容化を図ることができる。
【００２８】
沈殿分離槽１０の分離除去を受けた被処理水４３は、汚泥堆積部３０に堆積された汚泥を撹拌することなく、仕切壁２０の上方から嫌気ろ床槽１１に移流される。被処理水４４は第一のろ床部２３の上部から移流され、下向流で第一のろ床部２３を通過する。第一のろ床部２３に設けられている濾材には微生物が生息しており、被処理水４５に含まれる固形物の捕捉と有機物の分解が行われる。
【００２９】
第一のろ床部２３を通過した被処理水４６は、阻流板２１の下方を経由した後、第二のろ床部２４の下部から移流され、上向流で第二のろ床部２４を通過し、充填された濾材により被処理水４７に含まれる有機物の分解が行われる。
嫌気ろ床槽１１に設けた阻流板２１により、２つのろ床部２３、２４を構成することで、図２に示すように下向流と上向流からなる側面視Ｕ字型の水路を形成でき、長水路で嫌気処理が可能となる。これにより限られた容積の嫌気ろ床槽１１において、嫌気処理を効率的に行うことができる。
【００３０】
発生汚泥は、ろ床部２２の下方に設けられた汚泥堆積部３１、第一のろ床部２３の上方に設けられた汚泥堆積部３２、第二のろ床部２４の上方に設けられた汚泥堆積部３３にそれぞれ貯留される。
スカムは、沈殿分離槽１０と嫌気ろ床槽１１の上部に設けられた第一のスカム貯留部３４に流動可能に貯留されると共に、第二のスカム貯留部３５にも貯留される。
第一のろ床部２３の上方にある汚泥堆積部３２に貯留された汚泥は、分解により発生したガスを伴って、第一のスカム貯留部３４に浮上し、汚泥堆積部３０から由来したスカムと一緒に貯留されて濃縮化する。同様に、第二のろ床部２４の上方にある汚泥堆積部３３に貯留された汚泥は、分解により発生したガスを伴って、第二のスカム貯留部３５に浮上して濃縮化する。
【００３１】
嫌気処理を受けた被処理水４８は、側壁１Ｂに備えられた流出バッフル５の下方からその内部に移流し、側壁１Ｂに設けられた流出領域２６から装置外に排出される。
【００３２】
なお、流出領域２６の手前に濾材を充填した第二のろ床部２４を設けることにより、被処理水４５の流速による乱れにより汚泥堆積部３１から発生した浮遊物（ＳＳ）を捕捉することが可能となり、流出領域２６から装置外に堆積汚泥や浮遊物（ＳＳ）を流出することを防ぐことができる。
【００３３】
嫌気ろ床槽１１に備えたポンプ６の吸込口６Ａから浮遊物（ＳＳ）を捕捉できることで、第二のろ床部２４の上方に浮遊物（ＳＳ）を移流させることも防ぐことが可能となり、汚泥堆積部３３に堆積する汚泥量を限りなく少なく抑えることにも効果的である。
【００３４】
汚泥堆積部３１に貯留した堆積汚泥は、嫌気ろ床槽１１に設けられたポンプ６により、流入バッフル３内部に常時移送され、再度沈殿分離槽１０と嫌気ろ床槽１１において繰り返しの処理を受けることになる。これにより嫌気ろ床槽１１の堆積汚泥をスカム化する機会を増やすことに繋がり、汚泥を濃縮したスカムで貯留することで、嫌気ろ床槽１１の限られた容積の中で、有効的な汚泥貯留が可能となる。
【００３５】
「第二実施形態」
以下、本発明の第二実施形態に基づく水処理装置について図３及び図４を用いて説明する。
図３は本発明の第二実施形態の水処理装置１Ｒの一部を破断とした斜視図であり、図４は同水処理装置１Ｒの断面図である。
【００３６】
第二実施形態の水処理装置１Ｒと第一実施形態の水処理装置１の相違点は、嫌気ろ床槽１１にポンプ８を備え、沈殿分離槽１０と嫌気ろ床槽１１の水面上方に、流量調整部３６を設けている点である。
【００３７】
第二実施形態の水処理装置１Ｒの構造は、前記した相違点に関わる部分以外は、第一実施形態の水処理装置１の構造と同じである。相違する部分に関する説明を以下に記載し、共通部分の説明は省略する。
【００３８】
嫌気ろ床槽１１は、ポンプ８を側壁１Ｂに近接する位置に備え、ポンプ８を用いて装置外に被処理水を排出することができる。ポンプ８を備えることにより、沈殿分離槽１０と嫌気ろ床槽１１の上部に、被処理水を一時的に貯留する流量調整部３６が設けられ、流量調整部３６には低水位（Ｌ．Ｗ．Ｌ）から高水位（Ｈ．Ｗ．Ｌ）までの範囲に被処理水を貯留できるようになる。
なお、沈殿分離槽１０と嫌気ろ床槽１１の低水位（Ｌ．Ｗ．Ｌ）は、ポンプ８に設けられている吸込口８Ａの高さにより規定され、流量調整部３６は低水位（Ｌ．Ｗ．Ｌ）より上方に設けられる。図３、図４に示す形態では吸込口８Ａは上方に開口されているので、この開口の高さが低水位（Ｌ．Ｗ．Ｌ）を規定する。
沈殿分離槽１０、嫌気ろ床槽１１の順に処理された被処理水は、ポンプ８の排出口８Ｂから装置外に移送される。
ポンプ８は移送水量を調節する機能を有し、移送水量を調節することにより低水位（Ｌ．Ｗ．Ｌ）から高水位（Ｈ．Ｗ．Ｌ）の間に調整しながら汚水処理を行うことができる。即ち、流量調整部３６に一時的に処理水を貯留することが可能となり、流入水の水量負荷を緩和することができる。流入水の水量負荷を緩和する機能は、流量調整機能、あるいは、ピークカット機能とも言うことができる。
【００３９】
嫌気ろ床槽１１に備えるポンプ８は、特に限定されるものではなく、エアリフトポンプ、電動式の水中ポンプ等を用いることができるが、好ましくは、安価で維持管理が容易なエアリフトポンプを用いることができる。
【００４０】
吸込口８Ａの周囲には、流出バッフル５を備えることが好ましく、流出バッフル５は吸込口８Ａの周囲を取り囲み、流出バッフル５の上端は高水位（Ｈ．Ｗ．Ｌ）より上方、下端は第二のスカム貯留部３５より下方に設けることが好ましい。
【００４１】
浴槽排水等のように短時間で多くの水量が流入する場合に、汚泥堆積部３３に堆積した汚泥が被処理水４７の流速により乱され、一度は上昇する水面に追従して高水位（Ｈ．Ｗ．Ｌ）下方に浮遊物（ＳＳ）として浮遊するが、ポンプ８の吸込口８Ａは流出バッフル５の下方から内部に移流した被処理水を吸い込む構造のため、浮遊物（ＳＳ）を吸い込むことを限りなく防ぐことができ、装置外に堆積汚泥又は浮遊物（ＳＳ）を流出させることを防ぐことに効果的である。
また、汚泥堆積部３３に堆積した汚泥を、高水位（Ｈ．Ｗ．Ｌ）下方に浮遊させることは、汚泥をスカム化する機会を増やし、スカム貯留部３５で汚泥を濃縮したスカムとして貯留することにより、汚泥堆積部３３に堆積する汚泥の量を限りなく少なく抑えることにも効果的である。
【００４２】
第一実施形態の水処理装置１は流量調整機能を有しない処理方式であり、流量調整機能を有しなくとも汚泥貯留を向上させ嫌気処理の効率を安定化させることができるが、第二実施形態の水処理装置１Ｒのように流量調整機能を有することにより更に効果的な処理が可能になる為、ポンプ８を備える第二実施形態の構成が最も好ましい。
その他、第二実施形態の水処理装置１Ｒで得られる作用効果については、第一実施形態の水処理装置１と同様に得ることができる。
【実施例】
【００４３】
以下、本発明の実施例について図５を用いて説明する。
図５に断面構造を示すように本実施例の水処理装置１Ｓは、各仕切壁により複数の槽に区分され、上流側から沈殿分離槽１０、嫌気ろ床槽１１、接触ばっ気槽１２、沈殿槽１３、消毒槽１４の順で配列されている。
沈殿分離槽１０と嫌気ろ床槽１１は、上端が嫌気ろ床槽１１のろ床部２２よりも上方で、かつ、水面５０より下方になるように配置された仕切壁２０により区分されている。
接触ばっ気槽１２と沈殿槽１３は仕切壁２７の下流に設けられ、仕切壁２８により区分されされている。
【００４４】
沈殿分離槽１０の流入口２には、流入バッフル３が接続され流入部が構成されている。流入バッフル３は、４つの側壁と底壁３Ａを有し、側壁の下方に移流開口部２５を２箇所設けている。
嫌気ろ床槽１１に、網様円錐台状濾材を充填したろ床部２２が仕切壁２０の上端より下方に設けられ、ろ床部２２がろ床部の下端から水面５０よりも上方に設けた阻流板２１によって分割されており、阻流板２１の上流側を第一のろ床部２３として、下流側を第二のろ床部２４として各ろ床部が設けられている。
【００４５】
仕切壁２０には、上端が水面５０より上方、下端がろ床部２２より下方になるように配置した清掃孔４を奥行方向の中央に備えている。
嫌気ろ床槽１１と後段の接触ばっ気槽１２を仕切る仕切壁２７に、ろ床部２４より上方に、後段の接触ばっ気槽１２に被処理水を移流する流出領域２６が設けられている。流出領域２６には、上端が水面５０より上方、下端が第二のスカム貯留部３５より下方に設けた流出バッフル５を備えている。
【００４６】
流出バッフル５は、第二のスカム貯留部３５に貯留されたスカムの流出を防止するため、下部の水面積が上部の水面積よりも狭くなっている。
接触ばっ気槽１２は、ヘチマ様円筒状担体が充填され、好気処理を受けた被処理水は後段の沈殿槽１３へ移流される。
沈殿槽１３は、接触ばっ気槽１２から移流した被処理水に含まれる浮遊物（ＳＳ）を沈殿分離して、上澄水は消毒槽１４へ移流される。
消毒槽１４に移流された被処理水は、流出口２９から装置外に排出される。
【００４７】
前述の構成を有した水処理装置１Ｓの汚泥貯留容量は、汚泥堆積部３０が仕切壁２０の上端までを貯留可能高さとして２０８Ｌ、第一のろ床部２３が１４８Ｌ、第二のろ床部２４が１２２Ｌ、汚泥堆積部３１が１９１Ｌ、第一のスカム貯留部３４が９９Ｌ、第二のスカム貯留部３５が１７Ｌである。
【００４８】
図６に示すように水処理装置１Ｓを、前述の実施例の構成で作成し、沈殿分離槽１０及び嫌気ろ床槽１１のＳＳの捕捉性能を確認する為の試験を行った。
本試験を行うための装置として、流入口２の装置外に原水を貯水する水槽６１と、原水を流入口２へ定めた水量負荷で投入するためのポンプ６２を備え、流出口２９の装置外には、排出された処理水を貯水する水槽６３を設けた。
尚、本試験では流入のみによる影響を確認する為に、汚泥堆積部３１に貯留されている堆積汚泥を流入バッフル３内部に移送することはしない条件で、ポンプ６及びポンプ８は取り付けない構成を用いた。
【００４９】
汚泥捕捉性能試験について以下に示す。
「試験方法１」
図６に示す、清水を張った水処理装置１Ｓに、浴槽排水を模した水量の原水を流入させた後、沈殿分離槽１０、嫌気ろ床槽１１、接触ばっ気槽１２及び沈殿槽１３に残存したＳＳ量を測定し、ＳＳ捕捉率を算出して評価した。
「試験条件」
流入原水はＳＳ濃度が１０００ｍｇ／Ｌ、流入水量は５９Ｌ／分×４．２分、合計２５０Ｌに設定した。
【００５０】
「試験結果」
本試験の結果、各槽のＳＳ捕捉率は、沈殿分離槽１０で５５％、嫌気ろ床槽１１で４２％、接触ばっ気槽１２及び沈殿槽１３で２％、装置外に排出した処理水に含まれるＳＳは１％であった。
この結果から、沈殿分離槽１０と嫌気ろ床槽１１で合計９７％のＳＳ捕捉率であり、流入原水に含まれるＳＳのほぼ全てを捕捉でき、優れたＳＳ捕捉性能があることが確認された。
【００５１】
次に、図７に示す水処理装置１Ｓを、前述の実施例の構成で作成し、沈殿分離槽１０の汚泥保持性能を確認する為の試験を行った。
本試験を行うための装置として、流入口２の装置外に原水を貯水する水槽６１と、原水を流入口２へ定めた水量負荷で投入するためのポンプ６２を備え、流出口２９の装置外には、排出された処理水を貯水する水槽６３を設けた。
尚、本試験では流入のみによる影響を確認する為に、汚泥堆積部３１に貯留されている堆積汚泥を流入バッフル３内部に移送することはしない条件で、ポンプ６及びポンプ８は取り付けない構成を用いた。
【００５２】
汚泥保持性能試験について以下に示す。
「試験方法２」
図７に示す、清水を張った水処理装置１Ｓの、沈殿分離槽１０の汚泥堆積部３０に濃縮汚泥を静かに投入し、次に浴槽排水を模した水量の１．５倍相当の水量負荷を掛けた原水を流入させた後、沈殿分離槽１０に残存したＳＳ量を測定し、汚泥保持率を算出して評価した。
「試験条件」
流入原水は水道水、流入水量は５９Ｌ／分×６．４分、合計３７５Ｌに設定した。
投入汚泥は、下水処理施設の濃縮汚泥を使用し、汚泥濃度はＭＬＳＳ１４０００ｍｇ／Ｌに設定し、仕切壁２０の上端まで投入した。
【００５３】
「試験結果」
沈殿分離槽の汚泥保持試験の結果、図７に示す水処理装置１Ｓにおける汚泥保持率は、沈殿分離槽１０で９８．１％、嫌気ろ床槽１１で１．７％、接触ばっ気槽１２及び沈殿槽１３で０．２％、装置外に排出した処理水に含まれるＳＳは０％であった。
この結果から、沈殿分離槽１０の汚泥保持率が９８．１％であり、汚泥堆積部３０に堆積したほぼ全ての堆積汚泥を、嫌気ろ床槽１１に流出させずに汚泥堆積部３０に保持でき、優れた汚泥保持性能があることが確認された。
【００５４】
次に、図８に示す水処理装置１Ｓを、前述の実施例の構成で作成し、嫌気ろ床槽１１の汚泥保持性能を確認する為の試験を行った。
本試験を行うための装置として、流入口２の装置外に原水を貯水する水槽６１と、原水を流入口２へ定めた水量負荷で投入するためのポンプ６２を備え、流出口２９の装置外には、排出された処理水を貯水する水槽６３を設けた。
尚、本試験では流入のみによる影響を確認する為に、汚泥堆積部３１に貯留されている堆積汚泥を流入バッフル３内部に移送することはしない条件で、ポンプ６及びポンプ８は取り付けない構成を用いた。
【００５５】
汚泥保持性能試験について以下に示す。
「試験方法３」
図８に示す、清水を張った水処理装置１Ｓの、嫌気ろ床槽１１の汚泥堆積部３１に濃縮汚泥を静かに投入し、次に浴槽排水を模した水量の１．５倍相当の水量負荷を掛けた原水を流入させた後、嫌気ろ床槽１１に残存したＳＳ量を測定し、汚泥保持率を算出して評価した。
「試験条件」
流入原水は水道水、流入水量は５９Ｌ／分×６．４分、合計３７５Ｌに設定した。
投入汚泥は、下水処理施設の濃縮汚泥を使用し、汚泥濃度はＭＬＳＳ１４０００ｍｇ／Ｌに設定し、ろ床部２２の下端まで投入した。
【００５６】
「試験結果」
嫌気ろ床槽の汚泥保持試験の結果、図８に示す水処理装置１Ｓにおける汚泥保持率は、沈殿分離槽１０で０％、嫌気ろ床槽１１で９９．９％、接触ばっ気槽１２及び沈殿槽１３で０．１％、装置外に排出した処理水に含まれるＳＳは０％であった。
この結果から、嫌気ろ床槽１１の汚泥保持率が９９．９％であり、汚泥堆積部３１に堆積したほぼ全ての堆積汚泥を、装置外に流出させずに汚泥堆積部３１に保持でき、優れた汚泥保持性能があることが確認された。
【００５７】
これらの試験で、ポンプ６及びポンプ８を稼働させなくとも優れた性能があることが確認されたことから、ポンプを稼働させればＳＳの捕捉と、汚泥の保持に効果的に働き、更に性能の向上が期待できる。
【００５８】
これらの結果から、図８に示す水処理装置１Ｓの嫌気ろ床槽１１には１年間十分な汚泥堆積部を形成でき、優れた汚水浄化能力を備えた水処理装置１Ｓを提供できることが分かった。
【符号の説明】
【００５９】
１…水処理装置、１Ａ…側壁、１Ｂ…側壁、１Ｃ…側壁、１Ｄ…側壁、１Ｅ…底壁、
１Ｒ、１Ｓ…水処理装置、２…流入口、３…流入バッフル、３Ａ…底壁、４…清掃孔、
５…流出バッフル、６…ポンプ、６Ａ…吸込口、７…移送管、８…ポンプ、
８Ａ…吸込口、８Ｂ…排出口、１０…沈殿分離槽、１０Ａ…汚泥の界面、１１…嫌気ろ床槽、
１２…接触ばっ気槽、１３…沈殿槽、１４…消毒槽、２０…仕切壁、２１…阻流板、
２２…ろ床部、２３…第一のろ床部、２４…第二のろ床部、２５…移流開口部、
２６…流出領域、２７…仕切壁、２８…仕切壁、２９、流出口、３０…汚泥堆積部、
３１…汚泥堆積部、３２…汚泥堆積部、３３…汚泥堆積部、３４…第一のスカム貯留部、
３５…第二のスカム貯留部、４１…被処理水、４２…被処理水、４３…被処理水、
４４…被処理水、４５…被処理水、４６…被処理水、４７…被処理水、４８…被処理水、
５０…水面、６１…水槽、６２…ポンプ、６３…水槽。
【図１】
2020182895.tif 000003
【図２】
2020182895.tif 000004
【図３】
2020182895.tif 000005
【図４】
2020182895.tif 000006
【図５】
2020182895.tif 000007
【図６】
2020182895.tif 000008
【図７】
2020182895.tif 000009
【図８】
2020182895.tif 000010